(57)【要約】  【課題】  高速な原稿の読取と、主走査方向に不均一な光源の時間的変化を考慮した適切なシェーディング補正とが実現可能な画像読取装置を提供する。  【解決手段】  イメージセンサが、原稿読取用の受光ラインとは別に、自動原稿送り装置で給送する原稿からの反射光を原稿読取用ラインが受光する原稿読取位置にキャリッジがあるとき、白基準板からの反射光を受光するモニター用の受光ラインとを有する。シェーディング補正部は、白基準板からの反射光を原稿読取用ラインが受光する白基準板の読取位置にキャリッジがあるとき原稿読取用ラインにより得たデータ、および原稿読取位置にキャリッジがあるときモニター用ラインにより得たデータに基づいてシェーディング補正をする。【選択図】  図１
2007067765.tif 000002
【特許請求の範囲】
【請求項１】
自動原稿送り装置と、
白基準板と、
可動筐体に配置された光源と、
第１の受光ラインと、上記自動原稿送り装置で給送する原稿からの反射光を上記第１の受光ラインが受光する原稿読取位置に上記可動筐体があるとき、上記白基準板からの反射光を受光する第２の受光ラインとを有するイメージセンサと、
上記白基準板からの反射光を上記第１の受光ラインが受光する上記白基準板の読取位置に上記可動筐体があるとき上記第１の受光ラインにより得たデータ、および上記原稿読取位置に上記可動筐体があるとき上記第２の受光ラインにより得たデータに基づいて、上記原稿読取位置に上記可動筐体があるとき上記第１の受光ラインにより得たデータを補正するシェーディング補正手段と
を備えた画像読取装置。
【請求項２】
上記シェーディング補正手段が、上記原稿読取位置に上記可動筐体があるとき上記第２の受光ラインにより得たデータに基づいて上記白基準板の読取位置に上記可動筐体があるとき上記第１の受光ラインにより得たデータを修正する手段を有し、修正したデータに基づいて、上記原稿読取位置に上記可動筐体があるとき上記第１の受光ラインにより得たデータを補正する請求項１記載の画像読取装置。
【請求項３】
上記可動筐体に白基準板が配置され、
上記第１の受光ラインが、上記可動筐体が移動しているとき原稿からの反射光を受光し、
上記第２の受光ラインが、上記可動筐体が移動しているとき上記白基準板からの反射光を受光し、
上記シェーディング補正手段が、上記白基準板の読取位置に上記可動筐体があるとき上記第１の受光ラインにより得たデータ、および上記可動筐体が移動しているとき上記第２の受光ラインにより得たデータに基づいて、上記可動筐体が移動しているとき上記第１の受光ラインにより得たデータを補正する請求項１記載の画像読取装置。
【発明の詳細な説明】
【技術分野】
【０００１】
本発明は、スキャナやファクシミリ、複写機、複合機など原稿の画像を読み取る画像読取装置、特に自動原稿送り装置を備えた画像読取装置に関する。
【背景技術】
【０００２】
一般的にこの種の画像読取装置では、受光素子を一次元に配列したラインセンサで主走査を行い、ラインセンサとは直角な方向に光学系を動かして副走査を行う。自動原稿送り装置（ＡＤＦ）を備えている場合には、原稿を搬送することで副走査をすることができる。光学系は読取位置に固定し、ＡＤＦによりその読取位置に原稿を搬送する。原稿の画像を読み取る際には、主走査方向に沿って配置された線状光源から原稿に光を照射し、その原稿からの反射光をミラーやレンズを介してラインセンサで受光する。ラインセンサは、画素ごとの受光量に応じた画像信号を出力する。
【０００３】
ラインセンサにより得た画像データには、通常シェーディング補正を行う。光学系では、中心部よりも周辺部で光量が低下する。また光源の光量自体も主走査方向に不均一に分布する。さらにラインセンサの画素の感度にはバラツキがある。このため、均一な濃度の原稿を読み取った場合でも、画像データではムラが生じてしまう。シェーディング補正によりこのようなムラを解消する。
【０００４】
シェーディング補正には白色の基準となる白基準板を用いることができる。原稿を読み取る場合、あらかじめ白基準板の位置に光学系を移動して白基準板を読み取る。白基準板を読み取ることで得た白基準データを用いて、原稿の読取データに対しシェーディング補正を行う。
【０００５】
ＡＤＦを用いて複数枚の原稿を連続して読み取る場合、最初の原稿を読み取る前に白基準板を読み取る。２枚目以降の各原稿を読み取る前にも白基準板を読み取るには、原稿の読取位置から白基準板の設置位置まで一旦光学系を移動させなければならない。この場合、光学系が原稿の読取位置に戻るまでの時間だけ原稿の読み取りが遅れるので、全部の原稿を読み取るのに必要な時間が長くなる。
【０００６】
光源の光量は、複数枚の原稿を読み取っている間にも変化する。原稿のスキャンごとに白基準板を読み取れば、白基準データにその変化を反映することができる。一方、原稿のスキャンごとに白基準板を読み取らなければ、光学系を原稿の読取位置に固定することができ、読取時間が短縮される。
【０００７】
特許文献１は、光学系を原稿の読取位置に固定したまま、光源の変化を原稿のスキャンごとに反映したシェーディング補正をすることのできる画像読取装置を記載している。この画像読取装置は、第１の白基準板を読み取って得た白基準データをスキャンごとに補正するため第２の白基準板を備えている。原稿からの反射光と第２の白基準板からの反射光をラインセンサで受光するため、第２の白基準板は、ＡＤＦを用いる場合の原稿読取位置の原稿通過領域外に配置される。この画像読取装置では、原稿のスキャンごとに第２の白基準板を読み取り、第２の白基準板を読み取って得たデータを使って白基準データを補正する。このように白基準データを補正することにより、原稿のスキャンごとに光源を移動させずに、光量の時間的変化を白基準データに反映させている。
【特許文献１】特開２００３−３７７１７号公報
【発明の開示】
【発明が解決しようとする課題】
【０００８】
しかしながら、光源の経時的な光量の変化は主走査方向にわたって一定ではない。光源の光量は主走査方向の位置によって不均一に変化する。このため、原稿通過領域外に配置された第２の白基準板を用いても、白基準データを適切に補正できない恐れがある。
【０００９】
図６は、光源の複数個所における経時時間と照度劣化量の関係を示す図である。この図において、曲線６Ｃは光源の中央部、曲線６Ｌは左端部、曲線６Ｒは右端部の光量劣化をそれぞれ示している。この図で示すように、光量の劣化は、中央部より左右両端部で激しい。このため、端部に設置した第２の白基準板による補正では、白基準データを適切に補正することは困難である。
【００１０】
本発明は、このような従来の技術における課題を鑑みてなされたものであって、高速な原稿の読取と、主走査方向に不均一な光源の時間的変化を考慮した適切なシェーディング補正とをすることのできる画像読取装置を提供することを目的とする。
【課題を解決するための手段】
【００１１】
上述の目的を達成するために、本発明では以下の構成を採用している。本発明の画像読取装置では、イメージセンサが、第１の受光ラインと、自動原稿送り装置で給送する原稿からの反射光を第１の受光ラインが受光する原稿読取位置に可動筐体があるとき、白基準板からの反射光を受光する第２の受光ラインとを有する。シェーディング補正部は、白基準板からの反射光を第１の受光ラインが受光する白基準板の読取位置に可動筐体があるとき第１の受光ラインにより得たデータ、および原稿読取位置に可動筐体があるとき第２の受光ラインにより得たデータに基づいて、原稿読取位置に可動筐体があるとき第１の受光ラインにより得たデータを補正する。
【００１２】
この画像読取装置において、シェーディング補正部は、原稿読取位置に可動筐体があるとき第２の受光ラインにより得たデータに基づいて白基準板の読取位置に可動筐体があるとき第１の受光ラインにより得たデータを修正することができる。修正したデータに基づいて、原稿読取位置に可動筐体があるとき第１の受光ラインにより得たデータを補正する。
【００１３】
白基準板は、可動筐体に配置することができる。第１の受光ラインは、可動筐体が移動しているとき原稿からの反射光を受光し、第２の受光ラインが、上記可動筐体が移動しているとき上記白基準板からの反射光を受光する。シェーディング補正部は、白基準板の読取位置に上記可動筐体があるとき第１の受光ラインにより得たデータ、および可動筐体が移動しているとき第２の受光ラインにより得たデータに基づいて、可動筐体が移動しているとき第１の受光ラインにより得たデータを補正する。
【発明の効果】
【００１４】
このような構成を採用することにより、本発明では、可動筐体を固定して原稿を読み取る間も、シェーディング補正のために可動筐体を一時的に移動させることなく、光源の時間的変化を主走査方向にわたって観察することができる。
【発明を実施するための最良の形態】
【００１５】
以下、本発明の実施の形態について、図面を参照しながら詳細に説明する。
【００１６】
図１は本発明の実施の形態における画像読取装置の機械的構成の一例を説明するための図である。この画像読取装置１０１は、原稿の読み取りに用いるラインセンサ１０２に加えて、白色光源１０３の光量の時間的変化をモニターするためのモニター用ラインセンサ１０４を備えている。
【００１７】
この画像読取装置１０１の上側には、自動原稿送り装置（ＡＤＦ）１０５が開閉可能に取り付けられている。ＡＤＦ１０５は、画像読取装置１０１の上面に配置されたコンタクトガラス１０６やＡＤＦ読取用ガラス１０７、白色の基準となる白基準板１０８をカバーする。ＡＤＦ１０５を用いない場合、ユーザはＡＤＦ１０５を開いてコンタクトガラス１０６上に原稿を載置する。
【００１８】
ＡＤＦ１０５は、原稿トレイ１０９、搬送路１１０および排紙トレイ１１１を備えている。原稿の読み取りにＡＤＦ１０５を用いる場合、ユーザは、原稿トレイ１０９に原稿を載置する。搬送路１１０上には、給送ローラ１１２および排紙ローラ１１３が配置されている。その給送ローラ１１２および排紙ローラ１１３を用いて、原稿トレイ１０９から排紙トレイ１１１に原稿を搬送する。その搬送路１１０上を搬送する際、原稿は、ＡＤＦ読取用ガラス１０７の配置された原稿読取位置Ｐを通過する。
【００１９】
画像読取装置１０１の内部には、イメージセンサ１１４を含む走査光学系１１５が配置されている。この実施の形態において、走査光学系１１５は、光源１０３の配置された第１移動キャリッジ１１６に加えて、第２移動キャリッジ１１７およびレンズ１１８を備えている。第１移動キャリッジ１１６および第２移動キャリッジ１１７は副走査方向ＳＳに往復動可能である。光源１０３は、コンタクトガラス１０６上に載置された原稿や原稿読取位置Ｐを通過する原稿、白基準板１０８に光を照射する。ＡＤＦ１０５を用いない場合、第１移動キャリッジ１１６がコンタクトガラス１０６の下側を移動し、原稿の全面に光を照射する。ＡＤＦ１０５を用いる場合、第１移動キャリッジ１１６が原稿読取位置Ｐで停止し、原稿読取位置Ｐを通過する原稿に光を照射する。白基準板１０８を読み取る場合、第１移動キャリッジ１１６が白基準板１０８の読取位置Ｑに移動して白基準板１０８に光を照射する。第２移動キャリッジ１１７は第１移動キャリッジ１１６の移動に応じて移動する。
【００２０】
第１移動キャリッジ１１６および第２移動キャリッジ１１７にはミラー１１９乃至１２１が配置されている。ミラー１１９乃至１２１、およびレンズ１１８は、原稿や白基準板１０８からの反射光をイメージセンサ１１４に導く。
【００２１】
イメージセンサ１１４は、ラインセンサ１０２および１０４を含む。ラインセンサ１０２は、原稿または白基準板１０８からの反射光を受光し、ラインセンサ１０４は、白基準板１０８からの反射光を受光する。図１の例は、ＡＤＦ１０５を用いる場合の原稿読取位置Ｐに合わせて第１移動キャリッジ１１６および第２移動キャリッジ１１７が停止している状態を示している。この状態では、原稿読取位置Ｐにおける原稿の反射光が、破線で示す光路１２２を通ってラインセンサ１０２に入射する。
【００２２】
ラインセンサ１０４は、ＡＤＦ１０５で原稿を搬送する場合の原稿読取位置Ｐにキャリッジがあるとき、白基準板１０８からの反射光を受光する位置に配置されている。図１の状態では、白基準板１０８からの反射光が、一点鎖線１２３を通ってラインセンサ１０４に入射する。ラインセンサ１０４を用いれば、第１移動キャリッジ１１６および第２移動キャリッジ１１７を原稿読取位置Ｐから移動させずに白基準板１０８からの反射光を観測することができる。
【００２３】
図２は受光面から見たラインセンサの配置状態の一例を示す図である。ラインセンサ１０２および１０４は主走査方向ＭＳに平行に配置している。この実施の形態において、ラインセンサ１０２および１０４には、線状の受光面を有した同一のＣＣＤイメージセンサを用いる。ラインセンサ１０２および１０４のサイズや画素数は同一である。さらに主走査方向ＭＳの位置も一致している。このため、ラインセンサ１０２およびラインセンサ１０４の各画素の位置も一致する。このラインセンサ１０４を用いれば、ラインセンサ１０２の受光領域にわたって光源１０３の光量を観測することができる。
【００２４】
図３はシェーディング補正部の概略構成の一例を説明するための図である。イメージセンサ１１４はシェーディング補正部３０１と、アナログ処理回路３０２、３０３、およびＡＤ変換器３０４、３０５を介して接続される。ラインセンサ１０２、１０４は、画素ごとの受光量に応じたアナログ信号を出力する。アナログ処理回路３０２、３０３は、そのアナログ信号に対し増幅やサンプルホールドを行う。ＡＤ変換器３０４、３０５は、アナログ処理回路３０２、３０３から出力されるアナログ信号をデジタル信号に変換し、シェーディング補正部３０１に出力する。
【００２５】
シェーディング補正部３０１は、白基準データメモリ３０６、補正係数算出部３０７および原稿データ補正部３０８を備える。白基準データメモリ３０６は、白基準板１０８からの反射光をラインセンサ１０２で受光した場合にＡＤ変換器３０４から出力されるデジタルデータを格納する。この白基準データは、ラインセンサ１０２の受光量のデータを画素ごとに含む。補正係数算出部３０７は、白基準データに基づいて、シェーディング補正係数を画素ごとに算出する。原稿データ補正部３０８は、白基準データに基づいて、原稿からの反射光をラインセンサ１０２が受光した場合にＡＤ変換器３０４から出力される原稿読取データを補正する。例えばシェーディング補正係数を原稿読取データに乗算してシェーディング補正を行う。シェーディング補正部３０１は、シェーディング補正を行うと、その補正したデータを後段の画像処理回路に出力する。
【００２６】
この実施の形態において、シェーディング補正部３０１は、さらにモニターデータメモリ３０９、比較データメモリ３１０および変化率算出部３１１を備える。モニターデータメモリ３０９は、第１移動キャリッジ１１６が原稿読取位置Ｐにあるとき白基準板１０８からの反射光をラインセンサ１０４が受光する場合にＡＤ変換器３０５から出力されるデジタルデータを格納する。そのデータは、ラインセンサ１０４の受光量のデータを画素ごとに含む。複数枚の原稿をＡＤＦ１０５で原稿読取位置Ｐに連続して給送する場合、そのデータは、たとえば、各原稿のスキャンのたびに更新される。モニターデータメモリ３０９は、最新のスキャンに対するデータを格納する。比較データメモリ３１０は、直前のデータを格納する。モニターデータメモリ３０９のデータをスキャンのたびに更新する場合、比較データメモリ３１０は、モニターデータメモリ３０９のデータを１回のスキャン分だけ遅延させる。比較データメモリ３１０には、原稿の連続読取が終了するまで、最初のスキャンに対するデータを格納するようにしてもよい。変化率算出部３１１は、モニターデータメモリ３０９および比較データメモリ３１０のデータに基づいて、光源１０３の光量の時間的変化率を計算する。ここでは、モニターデータメモリ３０９のデータを比較データメモリ３１０のデータで画素ごとに除することにより、原稿をスキャンするたびに変化率を算出する。補正係数算出部３０７は、白基準データに加え、その変化率にも基づいてシェーディング補正係数を算出する。このようにスキャンごとにシェーディング補正係数を修正することで、光源１０３の光量の時間的変化をシェーディング補正に反映することができる。
【００２７】
図４はこの実施の形態におけるシェーディング補正方法の手順の一例を説明するためのフローチャートである。画像読取装置１０１は、ＡＤＦ１０５を用いた連続読取が選択されると、第１移動キャリッジ１１６および第２移動キャリッジ１１７を待機位置から移動させる。第１移動キャリッジ１１６を白基準板１０８の下に移動し（手順４０１）、光源１０３から白基準板１０８に光を照射する。ラインセンサ１０２は白基準板１０８からの反射光を受光し、白基準データメモリ３０６は白基準データを格納する（手順４０２）。画像読取装置１０１は、第１移動キャリッジ１１６がＡＤＦ読取用ガラス１０７の下まで移動すると、第１移動キャリッジ１１６および第２移動キャリッジ１１７を停止させる（手順４０３）。第１移動キャリッジ１１６を位置Ｑに配置して光源１０３から白基準板１０８に光を照射する。ラインセンサ１０４は白基準板１０８からの反射光を受光し、モニターデータメモリ３０９がデータを格納する（手順４０４）。画像読取装置１０１は、最初の原稿をＡＤＦ１０５で原稿読取位置Ｐに送って原稿の読み取りを開始する（手順４０５）。またラインセンサ１０４は白基準板１０８からの反射光を受光し、モニターデータメモリ３０９にデータを格納する（手順４０６）。それまでモニターデータメモリ３０９に格納されていたデータは、比較データメモリ３１０に格納される。変化率算出部３１１は、モニターデータメモリ３０９および比較データメモリ３１０にそれぞれ格納されたデータに基づいて、最初の原稿に対し変化率を算出する（手順４０７）。画素位置m（m=1,2,…,M;Mは画素数）の変化率Dy(m)は次式（１）で与えることができる。
【００２８】
Dy(m)=Dn+1(m)/Dn(m)        ……（１）
ただし、n(=0,1,…k,k+1,…,N)はスキャンの序数であり、Nは読取原稿の総枚数である。データD0は手順４０４で得られたデータに対応し、データDkは比較データメモリ３１０に格納されたデータに対応し、データDk+1はモニターデータメモリ３０９に格納されたデータに対応する。全ての原稿を読み取る間、比較データメモリ３１０にデータD0を格納する場合、変化率Dy(m)は次式（２）により与えることができる。
【００２９】
Dy(m)=Dn+1(m)/D0(m)        ……（２）
各画素に対し変化率Dy(m)が算出されると、補正係数算出部３０７は、白基準データDr(m)から得た各画素に対するシェーディング補正係数Ds(m)を変化率Dy(m)により修正する（手順４０８）。修正したシェーディング補正係数Das(m)は次式（３）で与えることができる。
【００３０】
Das(m)=Ds(m)×Dy(m)        ……（３）
各画素の係数Das(m)は、ＡＤ変換器３０４から出力される各画素の読取データと同期して原稿データ補正部３０８に入力される。原稿データ補正部３０８は、一主走査中に順次得られる各画素の原稿読取データDi(m)に対応画素の係数Das(m)を乗算することによりシェーディング補正を行い（手順４０９）、その補正後のデータDai(m)を後段の画像処理回路へ出力する。この例では、１枚の原稿を読み取る間、メモリ３０９および３１０のデータが更新されないので、その間は同じシェーディング補正係数Das(m)を用いる。データメモリ３０９および３１０のデータは、予め定めた時間間隔で更新してもよいし、主走査のたびに更新するようにしてもよい。更新間隔は、光源１０３の特性に応じて定めることができる。
【００３１】
このようにして１枚の原稿について読取を行うと、画像読取装置１０１は、原稿トレイ１０９に原稿が残っているかどうかを判別する（手順４１０）。原稿トレイ１０９に原稿が残っていれば、上述の手順４０６乃至４１０を繰り返し、その原稿を読み取る。
【００３２】
このシェーディング補正方法では、ＡＤＦ１０５を用いて複数枚の原稿を連続して読み取る場合でも、その間に起きる光源１０３の変化をシェーディング補正係数に反映することができる。このため、適切なシェーディング補正が可能となる。またシェーディング補正係数を更新するために、第１移動キャリッジ１１６および第２移動キャリッジ１１７を移動させる必要がない。したがって、複数枚の原稿を高速に読み取ることができる。さらに、ラインセンサ１０４の画素ごとに計算した変化率を用いて、各画素のシェーディング補正係数を修正するので、光源１０３の時間的変化が主走査方向に不均一に生じる場合でも、適正なシェーディング補正をすることができる。
【００３３】
この画像処理装置１０１において、白基準板１０８に異物が付着していると、白基準データや変化率のデータに悪影響を与える恐れがある。その恐れを避けるため、モニターデータメモリ３０９に格納されたデータに適当な処理を行って変化率を算出するようにしてもよい。例えば想定される異物の大きさに応じた間隔で主走査方向に移動平均を求め、その移動平均で各画素のデータを置き換える。また全画素のデータを予め定めた数だけランダムに間引きし、残った画素のデータで全画素のデータを補間するようにしてもよい。さらに、例えば一端部、中央部、他端部のいずれかのグループに各画素を分け、各グループの画素で平均値を求め、その平均値で各画素の値を置き換えるようにしてもよい。またラインセンサ１０４に対応する受光ラインを複数設け、各受光ラインからのデータを主走査方向および副走査方向で適当に平均したりするようにしてもよい。
【００３４】
この実施の形態におけるシェーディング補正方法は、専用の回路のほか、ＣＰＵやＤＳＰのようなプログラマブルな演算処理回路を用いて実現することも可能である。その場合、その演算処理回路に指令を与えるプログラムのファイルは、画像読取装置に備えた記録媒体に格納すればよい。例えばその記録媒体としてフラッシュメモリやＨＤＤを利用することができる。メモリカードのような取り外し可能な記録媒体であってもよい。また上述のシェーディング補正方法は汎用のコンピュータでも実行することが可能である。プログラムを格納するコンピュータ読み取り可能な記録媒体としては、ＣＤ−ＲＯＭやＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷなどの光学メディアや、フレキシブルディスクのような磁気メディア、フラッシュメモリやＲＡＭのような半導体メモリを利用することができる。さらに、そのプログラムの指令を電気信号や光信号、磁気信号などで表現し、その信号を搬送波に載せて送信することで、同軸ケーブルや銅線、光ファイバのような伝送媒体でそのプログラムを提供することができる。
【００３５】
上述した実施の形態は本発明の技術的範囲を制限するものではなく、既に記載したもの以外でも、本発明の範囲内で種々の変形や応用が可能である。例えば、ＣＣＤイメージセンサの代わりにＣＭＯＳイメージセンサやその他の光センサをラインセンサ１０２、１０４に用いるようにしてもよい。また光源１０３の主走査方向に不均一な時間的変化を観測できるのであれば、ラインセンサ１０２とラインセンサ１０４を主走査方向にずらして配置してもよい。一画素の長さの範囲内でラインセンサ１０２とラインセンサ１０４を配置すれば、読取解像度の向上にラインセンサ１０４を利用することができる。ＡＤＦ１０５を用いて原稿を読み取る場合、上述のようにシェーディング補正係数を修正するのにラインセンサ１０４を利用し、コンタクトガラス１０６上の原稿を読み取る場合、高解像度で原稿を読み取るのにラインセンサ１０４を利用する。ラインセンサ１０２とラインセンサ１０４を主走査方向に画素ピッチの半分だけずらして配置すれば、原稿の読み取り解像度を倍にすることができる。この場合、ラインセンサ１０２とラインセンサ１０４とで副走査方向の異なる位置を読み取ることになるので、遅延メモリを使ってデータを同期させる。遅延メモリを経由するかどうかは、ＡＤＦ１０５を用いるモードに切り替えられたか、ＡＤＦ１０５を用いないモードに切り替えられたかで決定すればよい。このようにラインセンサ１０２とラインセンサ１０４とを主走査方向にずらして配置しても、光源１０３の主走査方向に不均一な時間的変化を観測することは可能である。
【００３６】
さらにラインセンサ１０２とラインセンサ１０４のサイズや画素数は一致していなくてもよい。例えばラインセンサ１０２の半分の画素を有するイメージセンサをラインセンサ１０４として利用することができる。この場合、ラインセンサ１０４の画素位置l(l=1,2,…,L;L=M/2)に対するデータDn+1(l)およびDn(l)を用いて、変化率Dy(2l-1)およびDy(2l)を次式（４）で与えることができる。
【００３７】
Dy(2l-1)=Dy(2l)=Dn+1(l)/Dn(l)        ……（４）
またラインセンサ１０４の代わりに、ラインセンサ１０４より短いラインセンサやその他の光センサを主走査方向に複数配置するようにしてもよい。
【００３８】
さらに本発明はカラー画像を読み取る画像読取装置に適用することも可能である。その場合、ラインセンサ１０４の代わりに、例えばＲＧＢ３色のフィルターを全画素数の１／３の解像度で一ラインに配列したカラーイメージセンサを用いることができる。
【００３９】
さらに上述の実施の形態では、ＡＤＦ１０５を用いるモードにおけるシェーディング補正でシェーディング補正係数を修正したが、ＡＤＦ１０５を用いないモードにおけるシェーディング補正でもシェーディング補正係数を修正するようにしてもよい。
【００４０】
図５は画像読取装置の機械的構成に関し別の例を説明するための図である。図５では、図１と同じ構成に同じ符号を付している。この画像読取装置５０１は、第１移動キャリッジ１１６内にも白基準板５０２を備えている。この構成の場合、白基準板１０８は、白基準データを得るために用いられる。変化率は、白基準板５０２を用いて算出する。ラインセンサ１０４は、ＡＤＦ１０５で原稿を搬送する場合の原稿読取位置Ｐにキャリッジがあるとき、白基準板５０２からの反射光を受光する位置に配置する。ＡＤＦ１０５で原稿を搬送する場合の動作は、白基準板５０２を用いる点を除き、上述したのと同じである。
【００４１】
この画像読取装置５０１は、コンタクトガラス１０６に載置された原稿を読み取るときにもシェーディング補正係数を予め定めた時間間隔で修正する。コンタクトガラス１０６上の原稿を読み取る場合、図５に点線で示すように、第１移動キャリッジ１１６（および第２移動キャリッジ１１７）はコンタクトガラス１０６の下を副走査方向ＳＳに移動する。キャリッジを移動させることによりコンタクトガラス１０６上の原稿を読み取っている間、白基準板５０２からの反射光をラインセンサ１０４で受光し、モニターデータメモリ３０９および比較データメモリ３１０にデータを格納する。モニターデータメモリ３０９および比較データメモリ３１０のデータは予め定めた時間間隔で更新する。画像読取装置５０１は、その時間間隔ごとに変化率を計算し、シェーディング補正係数を修正する。修正した係数を用いて、ラインセンサ１０２により得た原稿読取データに対しシェーディング補正する。
【００４２】
このような構成を採用することにより、原稿を機械的に走査している間に光源１０３の光量などに変化が生じたとしても、適正なシェーディング補正を行うことが可能となる。
【産業上の利用可能性】
【００４３】
本発明にかかる画像読取装置は、高速な原稿の読取と、主走査方向に不均一な光源の時間的変化を考慮した適切なシェーディング補正とをすることができ、スキャナやファクシミリ、複写機、複合機等に有用である。
【図面の簡単な説明】
【００４４】
【図１】本発明の実施の形態における画像読取装置の機械的構成の一例を説明するための図である。
【図２】受光面から見たラインセンサの配置状態の一例を示す図である。
【図３】シェーディング補正部の概略構成の一例を説明するための図である。
【図４】シェーディング補正方法の手順の一例を説明するためのフローチャートである。
【図５】画像読取装置の機械的構成に関し別の例を説明するための図である。
【図６】光源の複数個所における経時時間と照度劣化量の関係を示す図である。
【符号の説明】
【００４５】
１０１，５０１  画像読取装置
１０２  ラインセンサ
１０３  光源
１０４  ラインセンサ
１０５  自動原稿送り装置
１０６  第１移動キャリッジ
１０７  第２移動キャリッジ
１０８，５０２  白基準板
１１４  イメージセンサ
３０１  シェーディング補正部
３０７  補正係数算出部
３０８  原稿データ補正部
３１１  変化率算出部
【図１】
2007067765.tif 000003
【図２】
2007067765.tif 000004
【図３】
2007067765.tif 000005
【図４】
2007067765.tif 000006
【図５】
2007067765.tif 000007
【図６】
2007067765.tif 000008